(57)【特許請求の範囲】
【請求項１】
内視鏡の処置具挿通チャンネルに挿脱される電気絶縁性の可撓性シース内に軸線方向に進退自在に導電性の操作ワイヤを挿通配置して、その操作ワイヤの先端に導電性の弾性ワイヤにより形成されたワイヤループを連結し、上記操作ワイヤを手元側から進退操作することにより上記ワイヤループが上記可撓性シースの先端部分に出入りして膨縮するようにした内視鏡用高周波スネアにおいて、
上記可撓性シースの先端近傍であって上記可撓性シースの先端との間に少なくとも５ｍｍの間隔をあけた位置の側壁に側孔を穿設すると共に、上記可撓性シースの上記側孔より先側の部分内全体に柔軟な充填物を充填して、上記側孔の先端縁位置から上記可撓性シース内側へ次第に上記可撓性シースの基端側に向かって変位する斜め後方向きの斜面を上記充填物の後端面で形成し、上記ワイヤループが上記側孔から上記可撓性シースに出入りするようにしたことを特徴とする内視鏡用高周波スネア。
【請求項２】
上記側孔が上記可撓性シースの軸線と平行の方向に細長く形成された長孔であり、その長孔の幅寸法が上記弾性ワイヤの直径二本分と三本分の間である請求項１記載の内視鏡用高周波スネア。
【発明の詳細な説明】
【０００１】
【発明の属する技術分野】
この発明は、体腔内のポリープ切除等を行うために内視鏡の処置具挿通チャンネルに挿脱して使用される内視鏡用高周波スネアに関する。
【０００２】
【従来の技術】
内視鏡用高周波スネアは一般に、内視鏡の処置具挿通チャンネルに挿脱される電気絶縁性の可撓性シース内に軸線方向に進退自在に導電性の操作ワイヤが挿通配置されて、その操作ワイヤの先端に導電性の弾性ワイヤにより形成されたワイヤループが連結され、操作ワイヤを手元側から進退操作することによりワイヤループが可撓性シースの先端開口から出入りして膨縮するようになっている。
【０００３】
【発明が解決しようとする課題】
しかし、例えば図６に示されるように、可撓性シース１の先端開口からワイヤループ３が出入りする従来の内視鏡用高周波スネアでは、ポリープ１００が無茎状のものの場合、（Ａ）に示されるように、ポリープ１００をワイヤループ３で囲んでから、ポリープ１００を緊縛するためにワイヤループ３を可撓性シース１内に引き込んで縮ませると、（Ｂ）に示されるように、ワイヤループ３がポリープ１００から外れる方向に滑ってしまい、ポリープ１００をうまく切除することができない。
【０００４】
そこで本発明は、無茎状のポリープであっても、ワイヤループで確実に緊縛してから高周波電流を通じて確実に切除することができる内視鏡用高周波スネアを提供することを目的とする。
【０００５】
【課題を解決するための手段】
上記の目的を達成するため、本発明の内視鏡用高周波スネアは、内視鏡の処置具挿通チャンネルに挿脱される電気絶縁性の可撓性シース内に軸線方向に進退自在に導電性の操作ワイヤを挿通配置して、その操作ワイヤの先端に導電性の弾性ワイヤにより形成されたワイヤループを連結し、上記操作ワイヤを手元側から進退操作することにより上記ワイヤループが上記可撓性シースの先端部分に出入りして膨縮するようにした内視鏡用高周波スネアにおいて、上記可撓性シースの先端近傍の側壁に側孔を穿設して、上記ワイヤループが上記側孔から上記可撓性シースに出入りするようにしたことを特徴とする。
【０００６】
なお、上記側孔が上記可撓性シースの軸線と平行の方向に細長く形成された長孔であり、その長孔の幅寸法が上記弾性ワイヤの直径二本分と三本分の間であってもよい。
【０００７】
また、上記可撓性シースの上記側孔より先側の部分内に、柔軟な充填物が充填されていてもよく、その場合、上記側孔より基端側寄りの上記シースの内周面と上記側孔とを滑らかにつなぐ斜面が、上記充填物によって形成されていてもよい。
【０００８】
【発明の実施の形態】
図面を参照して本発明の実施の形態を説明する。
図１は本発明の参考例の内視鏡用高周波スネアの先端部分を示しており、１は、図示されていない内視鏡の処置具挿通チャンネルに挿脱される電気絶縁性の可撓性シースであり、例えば四フッ化エチレン樹脂チューブによって形成されている。
【０００９】
可撓性シース１内には、導電性の操作ワイヤ２が軸線方向に進退自在に挿通配置されており、可撓性シース１の基端に連結された図示されていない操作部からの遠隔操作によって進退操作することができる。
【００１０】
操作ワイヤ２の先端には、例えばステンレス鋼線材等からなる導電性の弾性ワイヤをループ状に曲げて形成されたワイヤループ３が、ステンレスパイプ等からなる連結管４を介して連結されており、操作ワイヤ２を介して操作部側からワイヤループ３に高周波電流を通電することができる。
【００１１】
可撓性シース１の先端近傍（例えば先端から５ｍｍ〜５０ｍｍ程度離れた位置）の側壁には、ワイヤループ３が可撓性シース１内に出し入れされる側孔５が穿設されている。
【００１２】
側孔５は、図２に示されるように、可撓性シース１の軸線と平行の方向に細長い長孔であり、その幅Ｗは、ワイヤループ３を形成する弾性ワイヤが大きくガタつくことなく滑らかに出入りするように、弾性ワイヤの直径二本分と三本分の間の寸法に形成されている。
【００１３】
このように構成された内視鏡用高周波スネアは、手元側の操作部から操作ワイヤ２を進退操作することによって、ワイヤループ３が側孔５を出入口として可撓性シース１内に出入りし、可撓性シース１外では自己の弾性によって膨らんでループを形成し、可撓性シース１内に引き込まれることにより弾性変形して窄まる。
【００１４】
図３は、本発明の内視鏡用高周波スネアを内視鏡１０の処置具挿通チャンネル１１に通して、無茎形状のポリープ１００を切除する状態を示しており、（Ａ）に示されるように、ポリープ１００を囲むようにワイヤループ３をセットできたら、可撓性シース１の側孔５より先側の部分１ａを粘膜面に押し付ける。
【００１５】
それによって、可撓性シース１が粘膜と共動してポリープ１００に対して相対的に振らつかなくなるだけでなく、ワイヤループ３をポリープ１００の基部付近にしっかりと押し付けて、ポリープ１００を盛り上がらせた状態にすることができる。
【００１６】
その結果、（Ｂ）に示されるように、ワイヤループ３を締め付けると、ワイヤループ３がポリープ１００から外れることなくポリープ１００の基部近くを確実に緊縛することができ、この状態で高周波電流を通電してポリープ１００を安全かつ確実に切除することができる。
【００１７】
このとき、側孔５の幅Ｗがワイヤループ３を構成する弾性ワイヤの直径二本分と三本分の間程度の寸法に形成されているので、ワイヤループ３の根元側がよく閉じた状態でポリープ１００に接触し、高周波電流による焼灼切除を確実に行うことができる。
【００１８】
また本発明の内視鏡用高周波スネアは、図４に示されるように、可撓性シース１の先端１ｂを粘膜面に押し付けて固定した状態で内視鏡１０の湾曲部１２を湾曲させることにより、ワイヤループ３の位置を微調整してポリープに対して容易に係合させることができる。
【００１９】
図５は、本発明の内視鏡用高周波スネアを示しており、可撓性シース１の側孔５より先側の部分１ａ内に、例えばシリコンゴム等のような柔軟な充填物６を充填したものである。
【００２０】
側孔５より基端側の可撓性シース１の内周面と側孔５とを滑らかにつなぐ斜面６ａが充填物６によって形成されており、ワイヤループ３を可撓性シース１内にどのように引き込んでも、側孔５から外部に確実に膨出させることができる。
【００２１】
【発明の効果】
本発明によれば、可撓性シースの先端近傍の側壁に穿設した側孔からワイヤループを出し入れするようにしたことにより、可撓性シースの側孔より先側の部分をポリープの基部にしっかりと押し付け、ポリープを盛り上がらせてワイヤループで確実に緊縛した状態で高周波電流を通じ、確実に切除することができる。
【図面の簡単な説明】
【図１】  本発明の参考例の内視鏡用高周波スネアの先端部分の側面断面図である。
【図２】  本発明の参考例の内視鏡用高周波スネアの先端部分の底面図である。
【図３】  本発明の内視鏡用高周波スネアにより無茎状ポリープを切除する状態を示す略示図である。
【図４】  本発明の内視鏡用高周波スネアのワイヤループの位置の微調整状態を示す略示図である。
【図５】  本発明の実施の形態の内視鏡用高周波スネアの先端部分の側面断面図である。
【図６】  従来の内視鏡用高周波スネアにより無茎状ポリープを切除する状態を示す略示図である。
【符号の説明】
１  可撓性シース
２  操作ワイヤ
３  ワイヤループ
５  側孔
１０  内視鏡
１１  処置具挿通チャンネル
【図１】
0003998823.tif 000002
【図２】
0003998823.tif 000003
【図３】
0003998823.tif 000004
【図４】
0003998823.tif 000005
【図５】
0003998823.tif 000006
【図６】
0003998823.tif 000007